(57)【要約】      （修正有）【課題】チューブが切れた場合の安全性と使用に際しての利便性とを併せ持つチューブ式運動具を提供する。【解決手段】ゴム等の弾性材料からなるチューブ１０の両端部のそれぞれには、使用者の身体に装着可能な装着部材２０が係止されている。チューブ１０の中空部１１には、このチューブ１０の全長に亘って伸縮自在の紐状の誘導部材１２が配設されている。誘導部材１２の両端部は、チューブ１０の両端部と共に装着部材２０に係止されている。【選択図】図１
0003134037.tif 000002
【実用新案登録請求の範囲】
【請求項１】
使用者の身体のあらかじめ定められた部位に装着可能な装着部材が、両端部にそれぞれ
係止されている伸縮自在なチューブを有するチューブ式運動具において、
前記チューブの中空部には、当該チューブの全長に亘って伸縮自在な材料によって構成
される紐状の誘導部材が配設され、且つ該誘導部材の両端部は前記チューブの両端部と共
に前記装着部材に係止されていることを特徴とするチューブ式運動具。
【請求項２】
使用者の身体のあらかじめ定められた部位に装着可能な装着部材が、両端部にそれぞれ
係止されている伸縮自在なチューブを有するチューブ式運動具のチューブであって、該チ
ューブの中空部には、当該チューブの全長に亘って伸縮自在な材料によって構成される紐
状の誘導部材が配設されていることを特徴とするチューブ式運動具用のチューブ。
【考案の詳細な説明】
【技術分野】
【０００１】
本考案は、筋力トレーニング等を行なうときに使用される伸縮自在なチューブの弾性力
を用いるチューブ式運動具に関するものである。
【背景技術】
【０００２】
従来から、伸縮自在なチューブの弾性力を利用したチューブ式運動具は、さまざまな形
態のものが開発されて提供されている。
【０００３】
図４は、このような従来のチューブ式運動具の一例の構成を示したものである。
【０００４】
このチューブ式運動具１は、図４に示したように、ゴム等の弾性材料で構成されている
中空部１１を有する１本のチューブ１０の両端部のそれぞれに、使用者の身体に装着可能
な装着部材２０が係止されているものである。
【０００５】
図４に示した形態の運動具１は、通常、図５に示したように、一方の装着部材２０をト
レーニングを行なう使用者Ａ１の腰の部分に装着し、他方の装着部材２０をコーチ等の使
用者Ａ２の腰の部分に装着した状態で使用されている。
【０００６】
図５に示したようなチューブ１０を伸ばした状態で、使用者Ａ１がサイドステップ運動
を行なったり、また、チューブ１０が伸びている状態からさらにチューブ１０を伸ばす方
向に使用者Ａ１がダッシュ運動をするなど各種の運動を行なうことにより、使用者Ａ１は
、筋力のアップ等運動能力の向上を図ることができる。
【０００７】
しかしながら、このような使用者Ａ１の運動中に、チューブ１０が何らかの原因で切れ
てしまった場合には、図６に示したように、切れたチューブ１０が、波打つような状態と
なって使用者Ａ１，Ａ２の方向にそれぞれ飛んでくる。従って従来のこの種のチューブ式
運動具では、このようにして飛んでくる切れたチューブ１０が使用者Ａ１やＡ２の身体に
当たってしまった場合、使用者Ａ１やＡ２が怪我をしてしまうという虞があった。
【０００８】
以上のような危険な事故を防ぐために、チューブ１０の外側を保護カバーで被う構造の
チューブ式運動具が既に提案されている。
【０００９】
図７は、このような保護カバーが設けられたチューブ式運動具の構成を示したものであ
る。
【００１０】
図７において、図４に示したチューブ式運動具１と異なる点は、チューブ１０の外側に
、このチューブ１０を被う保護カバー３０が設けられていることである。
【００１１】
この保護カバー３０は、伸縮性を有する布地等によって１本の筒状となるように構成さ
れたものであり、保護カバー３０の両端部のそれぞれは、図７に示したように、装着部材
２０に縫い付けられている。チューブ１０は、保護カバー３０内に収納されており、その
両端部のそれぞれは、図４に示したチューブ式運動具１と同様に装着部材２０に係止され
ている。
【００１２】
このような図７に示した保護カバー３０を備えたチューブ式運動具１においては、使用
中にチューブ１０が切れたとしても、その切れたチューブ１０は保護カバー３０の内部で
のみ移動するので、切れたチューブ１０が使用者Ａ１やＡ２に当たって使用者を傷つける
ようなことはない。
【考案の開示】
【考案が解決しようとする課題】
【００１３】
しかしながら、図７に示したような構成のチューブ式運動具１においては、利便性に関
して以下のような新たな問題が生じてしまう。
【００１４】
先ず、チューブ１０の長さが長い場合には、それに伴って、チューブ１０の外径よりも
内径が大きい保護カバー３０の長さも長くなりそれだけ保護カバー３０の重量も重くなる
。従って、図８に示すように、使用中にチューブ１０および保護カバー３０の中央部が垂
れ下がった状態になり、トレーニング中の使用者Ａ１にトレーニングに必要なチューブ１
０の張力以外の不必要な負荷が生じてしまい、トレーニングの効率が低下してしまう。
【００１５】
また、チューブ式運動具が汚れた際、チューブ１０が露出している図４に示したチュー
ブ式運動具１の場合には比較的容易にその汚れを取り除くことができるが、図７に示した
保護カバー３０を有するチューブ式運動具１の場合には、衣地等で構成されている保護カ
バー３０の汚れを完全に取り除くことは困難であるために不衛生な状態となってしまう。
【００１６】
さらに、チューブ１０が切れた場合、チューブが露出している図４に示したチューブ式
運動具１では、チューブ１０のみを交換すればすぐに使用することができるが、図７に示
した保護カバー３０を有するチューブ式運動具１では、長くて滑りにくいゴム製のチュー
ブ１０を長い保護カバー３０に通すことは著しく困難であるために、チューブ式運動具１
の全てを新品に交換しなければならない。
【課題を解決するための手段】
【００１７】
以上の問題を解消するために、本考案の第１の手段は、使用者の身体のあらかじめ定め
られた部位に装着可能な装着部材が、両端部にそれぞれ係止されている伸縮自在なチュー
ブを有するチューブ式運動具において、前記チューブの中空部には、当該チューブの全長
に亘って伸縮自在な材料によって構成される紐状の誘導部材が配設され、且つ該誘導部材
の両端部は前記チューブの両端部と共に前記装着部材に係止されていることを特徴とする
ものである。
【００１８】
以上の問題を解消するために、本考案の第２の手段は、使用者の身体のあらかじめ定め
られた部位に装着可能な装着部材が、両端部にそれぞれ係止されている伸縮自在なチュー
ブを有するチューブ式運動具のチューブであって、該チューブの中空部には、当該チュー
ブの全長に亘って伸縮自在な材料によって構成される紐状の誘導部材が配設されているこ
とを特徴とするものである。
【考案の効果】
【００１９】
本考案によれば、チューブが切れた場合の安全性と使用に際しての利便性とを併せ持つ
チューブ式運動具を提供することができる。
【考案を実施するための最良の形態】
【００２０】
以下、図面を用いて本考案の実施例を説明する。
【実施例１】
【００２１】
図１は、本考案の実施例１の構成を示したものである。本実施例１に係るチューブ式運
動具１は、図４に示した従来のチューブ式運動具１と同様に、ゴム等の弾性材料で構成さ
れる１本のチューブ１０と、その両端部のそれぞれに係止されている使用者の身体のあら
かじめ定められた部位に装着可能な装着部材２０とによって構成されている。
【００２２】
ここで、図１に示す本実施例１に係るチューブ式運動具１には、チューブ１０の全長に
亘って中空部１１に誘導部材１２が配設されているチューブ１０が使用されている。
【００２３】
この誘導部材１２は、伸縮自在な材料によって構成されて紐状のものであり、本実施例
１においてはこの誘導部材１２としてロープ状の所謂「布製ゴム」が用いられている。
【００２４】
この誘導部材１２が配設されているチューブ１０の両端部は、図４に示した従来のチュ
ーブ式運動具１と同様の方法で装着部材２０に係止されている。
【００２５】
すなわち、図２（ａ）に示したように、誘導部材１２が配設されたチューブ１０の先端
部を装着部材２０の挿通口２１に通した状態で、その先端部に図２（ｂ）に示したような
「結び目」を作ることによってチューブ１０および誘導部材１２の先端部は装着部材２０
に係止された状態となっている。
【００２６】
ここで、チューブ１０の先端部を装着部材２０に係止する際に、チューブ１０の先端部
から出ている誘導部材１２の先端部のみに「結び目」を作って誘導部材１２の先端部をチ
ューブ１０の先端部に予め係止させておいてから、チューブ１０の先端部を装着部材２０
に係止するようにしてもよい。
【００２７】
以上のように構成された本実施例１においては、本実施例１の使用中にチューブ１０が
切れたとしても、その切れたチューブ１０は図３に示すように誘導部材１２に沿って移動
するために、切れたチューブ１０が使用者Ａ１やＡ２に当たるようなことはない。
【００２８】
ここで、誘導部材１２は、チューブ１０が切れたときに、その切れたチューブ１０の移
動方向を規制するためにのみ配設されている部材であるので、強度を高くする必要はなく
従ってその重量も軽くすることができる。従って、保護カバーを配設したチューブ式運動
具のようには、チューブ１０の中央部は垂れ下がらない。
【００２９】
また、チューブ１０が切れた場合には、この誘導部材１２が配設されたチューブ１０の
みを取り替えるだけで、すぐに使用することができる。
【００３０】
さらに、本実施例１の外部構造は、図４に示した従来のチューブ式運動具１と同じであ
るので、このチューブ式運動具１が汚れた場合には、比較的容易にその汚れを取り除くこ
とができる。
【００３１】
なお、本実施例１では、チューブ１０の両端部に係止されている装着部材２０として、
使用者の身体の腰の部分に装着可能なベルト状の形態の装着部材が使用されているが、こ
の装着部材の形態は、このようなベルト状の形態に限られるものではなく、装着されるべ
き身体の部位に応じてどのような形態としてもよい。
【図面の簡単な説明】
【００３２】
【図１】本考案の実施例１の構成を示す構成図である。
【図２】本考案の実施例１の構成の説明図である。
【図３】本考案の実施例１の動作説明図である。
【図４】従来のチューブ式運動具の構成を示す構成図である。
【図５】従来のチューブ式運動具の動作説明図である。
【図６】従来のチューブ式運動具の動作説明図である。
【図７】従来のチューブ式運動具の構成を示す構成図である。
【図８】従来のチューブ式運動具の動作説明図である。
【符号の説明】
【００３３】
１  チューブ式運動具
１０  チューブ
１１  中空部
１２  誘導部材
２０  装着部材
２１  挿通口
３０  保護カバー
Ａ１，Ａ２  使用者
【図１】
0003134037.tif 000003
【図２】
0003134037.tif 000004
【図３】
0003134037.tif 000005
【図４】
0003134037.tif 000006
【図５】
0003134037.tif 000007
【図６】
0003134037.tif 000008
【図７】
0003134037.tif 000009
【図８】
0003134037.tif 000010